(57)【要約】  受信された高周波信号を希望チャネルの信号成分に対応する中間周波信号に周波数変換するミキサ６と、中間周波信号をデジタル信号にＡＤ変換するＡＤＣ８と、前記デジタル信号を復調するデジタル復調部３００とを有し、デジタル復調部３００が、通過帯域の切り替えが可能な帯域制限フィルタ９と、帯域制限フィルタ９に入力される前のデジタル信号から、希望チャネルの信号成分のパワー分布と希望チャネルに隣接する隣接チャネルの信号成分のパワー分布とを検出する検出部１０とを備え、検出部１０によって検出された希望チャネル及び隣接チャネルの信号成分のパワー分布に基づいて選択された通過帯域に、帯域制限フィルタ９の通過帯域が切り替わる、信号処理装置。
2011030664.tif 000002
【特許請求の範囲】
【請求項１】
受信された高周波信号を処理する信号処理装置であって、
希望チャネルの信号成分に対応する中間周波数を周波数成分として含む中間周波信号に前記高周波信号を周波数変換する周波数変換部と、
前記中間周波信号をデジタル信号にＡＤ変換するＡＤ変換部と、
前記デジタル信号を復調するデジタル復調部とを有し、
前記デジタル復調部が、
前記デジタル信号から前記希望チャネルの信号成分を含む出力信号を取り出すための帯域幅が互いに異なる複数の通過帯域を有するフィルタ部と、
前記フィルタ部に入力される前の前記デジタル信号から、前記希望チャネルの信号成分のパワー分布と前記希望チャネルに隣接する隣接チャネルの信号成分のパワー分布とを検出する検出部とを備え、
前記検出部によって検出された前記希望チャネルの信号成分のパワー分布と前記検出部によって検出された前記隣接チャネルの信号成分のパワー分布とに基づいて前記複数の通過帯域の中から選択された通過帯域に、前記フィルタ部の通過帯域が切り替わる、ことを特徴とする、信号処理装置。
【請求項２】
前記検出部が、
前記フィルタ部に入力される前の前記デジタル信号に、前記中間周波数と前記中間周波数の周辺周波数に周波数が順番に変化する正弦波信号を乗算するデジタルミキサと、
前記デジタルミキサの出力信号が入力されるローパスフィルタと、
前記ローパスフィルタの出力信号から、前記中間周波数の信号成分のパワーと前記周辺周波数の信号成分のパワーとを測定する測定部とを備え、
前記希望チャネルの信号成分のパワー分布と前記隣接チャネルの信号成分のパワー分布とが、前記測定部の測定結果に基づいて検出される、請求項１に記載の信号処理装置。
【請求項３】
前記中間周波数に対して高周波側の前記周辺周波数の信号成分のパワーを前記測定部が測定した測定値である高周波側測定値と、前記中間周波数に対して低周波側の前記周辺周波数の信号成分を前記測定部が測定した測定値である低周波側測定値との大小関係に基づいて、前記測定部が測定した測定値の中から、前記希望チャネル及び前記隣接チャネルの信号成分のパワー分布の検出に使用される測定値が決定される、請求項２に記載の信号処理装置。
【請求項４】
前記高周波側測定値と前記低周波側測定値のうちで小さい方の測定値に基づいて、前記希望チャネルの信号成分のパワー分布の及ぶ帯域が検出され、
前記高周波側測定値と前記低周波側測定値のうちで大きい方の測定値に基づいて、前記隣接チャネルの信号成分のパワー分布の及ぶ帯域が検出される、請求項３に記載の信号処理装置。
【請求項５】
前記小さい方の測定値の中で第１の閾値を超えるパワーが存在する帯域が、前記希望チャネルの信号成分のパワー分布の及ぶ帯域であると特定され、
前記大きい方の測定値の中で第２の閾値を超えるパワーが存在する帯域が、前記隣接チャネルの信号成分のパワー分布の及ぶ帯域であると特定される、請求項４に記載の信号処理装置。
【請求項６】
前記フィルタ部の通過帯域として、前記希望チャネルの信号成分のパワー分布が及ぶと特定された帯域を含み且つ前記隣接チャネルの信号成分のパワー分布が及ぶと特定された帯域を含まない帯域が、前記複数の通過帯域の中から選択される、請求項５に記載の信号処理装置。
【請求項７】
前記第１の閾値及び前記第２の閾値が、前記測定部が測定した測定値に応じて設定された設定値である、請求項５又は６に記載の信号処理装置。
【請求項８】
前記設定値が、前記測定部が測定した測定値の中で最も小さい測定値に比べて大きな値である、請求項７に記載の信号処理装置。
【請求項９】
前記周辺周波数が、前記複数の通過帯域のうちの一の通過帯域と該一の通過帯域に比べて広帯域の他の通過帯域とが重複していない帯域の周波数である、請求項２から８のいずれか一項に記載の信号処理装置。
【請求項１０】
前記フィルタ部の通過帯域が、前記フィルタ部の通過帯域の特性を定めるためのフィルタ係数の変更によって切り替わる、請求項１から９のいずれか一項に記載の信号処理装置。
【請求項１１】
前記高周波信号が、ステレオＦＭ放送波をアンテナが受信することにより生じた信号である、請求項１から１０のいずれか一項に記載の信号処理装置。
【請求項１２】
受信された高周波信号を処理する信号処理方法であって、
希望チャネルの信号成分に対応する中間周波数を周波数成分として含む中間周波信号に前記高周波信号を周波数変換する周波数変換ステップと、
前記中間周波信号をデジタル信号にＡＤ変換するＡＤ変換ステップと、
前記デジタル信号をデジタルで復調する復調ステップとを有し、
前記復調ステップには、
前記デジタル信号から前記希望チャネルの信号成分を含む出力信号を取り出すための帯域幅が互いに異なる複数の通過帯域を有するフィルタ部に入力される前の前記デジタル信号から、前記希望チャネルの信号成分のパワー分布と前記希望チャネルに隣接する隣接チャネルの信号成分のパワー分布とを検出する検出ステップと、
前記検出ステップで検出した前記希望チャネルの信号成分のパワー分布と前記検出ステップで検出した前記隣接チャネルの信号成分のパワー分布とに基づいて前記複数の通過帯域の中から選択された通過帯域に、前記フィルタ部の通過帯域を切り替える切り替えステップとが含まれる、ことを特徴とする、信号処理方法。
【請求項１３】
前記フィルタ部に入力される前の前記デジタル信号に、前記中間周波数と前記中間周波数の周辺周波数に周波数が順番に変化する正弦波信号をデジタルで乗算する乗算ステップと、
前記乗算ステップで得られた乗算値をローパスフィルタでフィルタをかけるフィルタステップと、
前記フィルタステップで得られた前記ローパスフィルタの出力信号から、前記中間周波数の信号成分のパワーと前記周辺周波数の信号成分のパワーとを測定する測定ステップとを有し、
前記検出ステップでは、前記測定ステップでの測定結果に基づいて、前記希望チャネルの信号成分のパワー分布と前記隣接チャネルの信号成分のパワー分布とを検出する、請求項１２に記載の信号処理方法。
【請求項１４】
前記中間周波数に対して高周波側の前記周辺周波数の信号成分のパワーを前記測定部が測定した測定値である高周波側測定値と、前記中間周波数に対して低周波側の前記周辺周波数の信号成分を前記測定部が測定した測定値である低周波側測定値との大小関係に基づいて、前記測定部が測定した測定値の中から、前記希望チャネル及び前記隣接チャネルの信号成分のパワー分布の検出に使用される測定値を決定する、請求項１３に記載の信号処理方法。
【請求項１５】
前記高周波側測定値と前記低周波側測定値のうちで小さい方の測定値に基づいて、前記希望チャネルの信号成分のパワー分布の及ぶ帯域を検出し、
前記高周波側測定値と前記低周波側測定値のうちで大きい方の測定値に基づいて、前記隣接チャネルの信号成分のパワー分布の及ぶ帯域が検出する、請求項１４に記載の信号処理方法。
【請求項１６】
前記小さい方の測定値の中で第１の閾値を超えるパワーが存在する帯域を、前記希望チャネルの信号成分のパワー分布の及ぶ帯域であると特定し、
前記大きい方の測定値の中で第２の閾値を超えるパワーが存在する帯域を、前記隣接チャネルの信号成分のパワー分布の及ぶ帯域であると特定する、請求項１５に記載の信号処理方法。
【請求項１７】
前記フィルタ部の通過帯域として、前記希望チャネルの信号成分のパワー分布が及ぶと特定された帯域を含み且つ前記隣接チャネルの信号成分のパワー分布が及ぶと特定された帯域を含まない帯域を、前記複数の通過帯域の中から選択する、請求項１６に記載の信号処理方法。
【発明の詳細な説明】
【技術分野】
【０００１】
本発明は、受信された高周波信号を処理する信号処理装置及び信号処理方法に関する。
【背景技術】
【０００２】
中間周波信号（ＩＦ信号）と基準周波数信号とを乗算する乗算器と、乗算器の出力信号から不要な高調波成分を減衰させるローパスフィルタとを備え、ローパスフィルタの出力信号によって、妨害電波の有無が検出される、ＦＭ受信機が知られている（例えば、特許文献１参照）。【０００３】
一方、ラジオチューナ用ＩＣにおいて、希望のチャネルに隣接する隣接チャネルによる妨害ノイズが放送受信帯域内に入り込むことによって、オーディオ出力信号が歪んで、聴感に悪影響が起こることがある。このような不具合を解消するため、放送受信帯域内に入り込む隣接チャネルによる妨害ノイズを除去する帯域制限フィルタを使用することによって、オーディオ出力の聴感を良くすることができる。
【先行技術文献】
【特許文献】
【０００４】
【特許文献１】特開昭５９−１７２８３３号公報
【発明の概要】
【発明が解決しようとする課題】
【０００５】
ところが、帯域制限フィルタを使用する場合、適切な通過帯域に調整できなければ、隣接チャネルによる妨害ノイズだけでなく希望のチャネルの信号成分も減衰するため、オーディオ出力の聴感が悪化してしまう。【０００６】
そこで、本発明は、希望チャネルの受信性能の向上と隣接チャネルによる妨害ノイズの低減とを両立させることができる、信号処理装置及び信号処理方法の提供を目的とする。
【課題を解決するための手段】
【０００７】
上記目的を達成するため、本発明に係る信号処理装置は、
受信された高周波信号を処理する信号処理装置であって、
希望チャネルの信号成分に対応する中間周波数を周波数成分として含む中間周波信号に前記高周波信号を周波数変換する周波数変換部と、
前記中間周波信号をデジタル信号にＡＤ変換するＡＤ変換部と、
前記デジタル信号を復調するデジタル復調部とを有し、
前記デジタル復調部が、
前記デジタル信号から前記希望チャネルの信号成分を含む出力信号を取り出すための帯域幅が互いに異なる複数の通過帯域を有するフィルタ部と、
前記フィルタ部に入力される前の前記デジタル信号から、前記希望チャネルの信号成分のパワー分布と前記希望チャネルに隣接する隣接チャネルの信号成分のパワー分布とを検出する検出部とを備え、
前記検出部によって検出された前記希望チャネルの信号成分のパワー分布と前記検出部によって検出された前記隣接チャネルの信号成分のパワー分布とに基づいて前記複数の通過帯域の中から選択された通過帯域に、前記フィルタ部の通過帯域が切り替わる、ことを特徴とするものである。【０００８】
また、上記目的を達成するため、本発明に係る信号処理方法は、
受信された高周波信号を処理する信号処理方法であって、
希望チャネルの信号成分に対応する中間周波数を周波数成分として含む中間周波信号に前記高周波信号を周波数変換する周波数変換ステップと、
前記中間周波信号をデジタル信号にＡＤ変換するＡＤ変換ステップと、
前記デジタル信号をデジタルで復調する復調ステップとを有し、
前記復調ステップには、
前記デジタル信号から前記希望チャネルの信号成分を含む出力信号を取り出すための帯域幅が互いに異なる複数の通過帯域を有するフィルタ部に入力される前の前記デジタル信号から、前記希望チャネルの信号成分のパワー分布と前記希望チャネルに隣接する隣接チャネルの信号成分のパワー分布とを検出する検出ステップと、
前記検出ステップで検出した前記希望チャネルの信号成分のパワー分布と前記検出ステップで検出した前記隣接チャネルの信号成分のパワー分布とに基づいて前記複数の通過帯域の中から選択された通過帯域に、前記フィルタ部の通過帯域を切り替える切り替えステップとが含まれる、ことを特徴とするものである。
【発明の効果】
【０００９】
本発明によれば、希望チャネルの受信性能の向上と隣接チャネルによる妨害ノイズの低減とを両立させることができる。
【図面の簡単な説明】
【００１０】
【図１】チューナ回路１００の構成図である。
【図２】通過帯域内の信号分布を監視する監視回路２００の構成図である。
【図３】デジタルミキサ３２の原理を説明するための図である。
【図４】帯域制限フィルタ９の通過帯域と測定部３４で測定されたパワーとの関係を示した図である。
【図５】チューナ回路１００が実行する信号処理方法を表すフローチャートである。
【図６】パワー分布検出ステップＳ４で行われる工程を表すフローチャートである。
【図７】パワー分布検出ステップＳ４で行われる詳細工程を表すフローチャートである。
【図８】ローパスフィルタ３３のフィルタ特性図である。
【図９】帯域制限フィルタ９の出力信号のパワー分布図である。
【図１０】帯域制限フィルタ９の通過帯域と測定部３４で測定されたパワーとの関係を示した図である。
【図１１】帯域幅が１８０ｋＨｚの通過帯域ＢＷ１８０を選択した場合のオーディオ出力信号の波形図である。
【図１２】帯域幅が１２０ｋＨｚの通過帯域ＢＷ１２０を選択した場合のオーディオ出力信号の波形図である。
【図１３】信号処理装置の具体例であるラジオチューナ用ＩＣ４００である。
【図１４】セレクタ回路ＳＬ１〜ＳＬ４を示した図である。
【図１５】セレクタ回路ＳＬ１１〜ＳＬ１４及びＳＬ２１〜ＳＬ２４を示した図である。
【発明を実施するための形態】
【００１１】
以下、図面を参照しながら、本発明を実施するための形態の説明を行う。図１は、本発明の実施形態であるチューナ回路１００の構成図である。チューナ回路１００は、受信された高周波信号を処理する信号処理装置である。チューナ回路１００は、主な構成として、周波数変換部と、ＡＤ変換部と、デジタル復調部とを有している。
【００１２】
周波数変換部は、受信された高周波信号を、受信が希望されている希望チャネルの信号成分に対応する中間周波数を周波数成分として含む中間周波信号に周波数変換する。図１には、周波数変換部として、アンテナ１で電波を受信することにより生じた高周波信号が入力されるＲＦバンドパスフィルタ２、ＲＦバンドパスフィルタ２の出力信号を増幅するＬＮＡ（ローノイズアンプ）３、ＬＮＡ３の出力信号が入力されるＲＦバンドパスフィルタ４、局部発振周波信号を生成するＶＣＯ（局部発振器）５と、ＲＦバンドパスフィルタ４の出力信号と局部発振周波信号とを混合するミキサ６、ミキサ６の出力信号が入力されるＩＦバンドパスフィルタ７が示されている。局部発振周波信号は、希望の受信チャネルに対応する中間周波数の中間周波信号に変換するための発振信号である。
【００１３】
ＡＤ変換部は、ＩＦバンドパスフィルタ７から出力された中間周波信号（ＩＦ信号）をデジタル信号にＡＤ変換する。図１には、ＡＤ変換部として、ＡＤＣ（アナログ−デジタルコンバータ）８が示されている。
【００１４】
デジタル復調部は、ＡＤ変換部から出力されたデジタル信号を復調する。図１には、デジタル復調部３００が示されている。デジタル復調部３００は、主な構成として、デジタル信号が通過可能な帯域を制限するフィルタ部と、中間周波信号のパワー分布を検出するパワー分布検出部とを有している。
【００１５】
フィルタ部は、デジタル信号から、ユーザ等によって選択された希望チャネルの信号成分を含む出力信号を取り出すための帯域幅が互いに異なる複数の通過帯域を有している。図１には、フィルタ部として、帯域制限フィルタ９が示されている。
【００１６】
パワー分布検出部は、フィルタ部に入力される前のデジタル信号から、希望チャネルの信号成分のパワー分布と隣接チャネルの信号成分のパワー分布とを検出する。図１には、パワー分布検出部として、ＩＦパワー検出部１０が示されている。
【００１７】
チューナ回路１００において、ＩＦパワー検出部１０によって検出された希望チャネルの信号成分のパワー分布とＩＦパワー検出部１０によって検出された隣接チャネルの信号成分のパワー分布とに基づいて前記複数の通過帯域の中から選択された通過帯域に、帯域制限フィルタ９の通過帯域が切り替わる。
【００１８】
つまり、チューナ回路１００の場合、希望チャネルの信号分布のパワー分布と隣接チャネルの信号成分のパワー分布の両方のパワー分布に基づいて、帯域制限フィルタ９の通過帯域が切り替えられている。したがって、希望チャネルの信号成分のパワーが小さくならないように且つ隣接チャネルの信号成分のパワーが大きくならないような通過帯域に、帯域制限フィルタ９の通過帯域を切り替えることができるので、希望チャネルの受信性能の向上と隣接チャネルによる妨害ノイズの低減とを両立させることができる。
【００１９】
なお、図１において、ヒルベルトフィルタ１１は、帯域制限フィルタ９から出力されたフィルタ処理後の出力信号をヒルベルト変換する。デジタルミキサ１２，１３は、ヒルベルトフィルタ１１の出力信号に、ＮＣＯ（数値制御発振器）１４から出力された離散的な正弦波信号を乗算することにより生成された出力信号をＭＰＸ１５に供給する。ＭＰＸ１５は、マルチプレックス回路である。ＭＰＸ１５は、右側ステレオ信号と左側ステレオ信号に復号する。
【００２０】
図２は、通過帯域内の信号分布を監視する監視回路２００の構成図である。ＩＦパワー検出部１０は、デジタルミキサ３２と、ローパスフィルタ３３と、測定部３４と、制御部３５とを備える。また、ＩＦパワー検出部１０は、デジタルミキサ３２に入力される正弦波信号等の三角関数信号を出力する数値制御発振器（ＮＣＯ）３１を備える。
【００２１】
デジタルミキサ３２は、ＡＤＣ８から出力されたデジタル信号であって且つ帯域制限フィルタ９に入力される前のデジタル信号に、中間周波数と中間周波数の周辺の一又は二以上の周辺周波数に周波数が順番に変化する正弦波信号を乗算する。
【００２２】
ＮＣＯ３１は、例えばＣＯＲＤＩＣアルゴリズムに従って、任意の周波数の正弦波信号を生成可能である。したがって、ＮＣＯ３１は、周波数が中間周波数に一致する正弦波信号と、周波数が中間周波数の周辺帯域にある複数の周辺周波数に一致する正弦波信号とを、順番に切り替えて、デジタルミキサ３２に供給することができる。ＮＣＯ３１から出力される周辺周波数は、帯域制限フィルタ９に予め準備されている複数の通過帯域それぞれの外側の帯域内の周波数である。
【００２３】
ローパスフィルタ３３は、デジタルミキサ３２の出力信号が入力されて、高周波側の信号成分を減衰させる。
【００２４】
測定部３４は、ローパスフィルタ３３の出力信号から、中間周波数の信号成分のパワーと周辺周波数の信号成分のパワーとを測定する。
【００２５】
制御部３５は、希望チャネルの信号成分のパワー分布と隣接チャネルの信号成分のパワー分布とを、測定部３４の測定結果に基づいて検出する。
【００２６】
このように、デジタルミキサ３２の出力信号に基づいて通過帯域内のパワー分布を監視しているので、回路規模を縮小することができる。つまり、希望チャネルの信号成分をできるだけ減衰させずに隣接チャネルによる妨害ノイズを減衰させるカットオフ周波数を有する帯域制限フィルタを選択するためには、通過帯域内のパワー分布を監視する必要がある。従来の技術では、通過帯域内のパワー分布を確認するには、ＦＦＴ（高速フーリエ変換）回路等の大規模回路が必要となる。これに対して、本発明の場合、デジタルミキサ３２の原理を利用することによって、通過帯域内のパワー分布の監視を小規模回路で実現できる。
【００２７】
図３は、デジタルミキサ３２の原理を説明するための図である。積和の公式により、
sin（２πｆ１）×sin（２πｆ２）
＝１／２｛cos２π（ｆ１−ｆ２）−cos２π（ｆ１＋ｆ２）｝
という関係が成立する。この公式によれば、２信号を乗算すると、 ２信号それぞれの周波数の和と差の信号に変換することができる。つまり、パワーを観測したい周波数ｆａの信号を中間周波信号に乗算すると、中間周波信号内の周波数ｆａの信号成分はＤＣ近傍（＝ｆａ−ｆａ＝０）と２ｆａ（＝ｆａ＋ｆａ）に移動する。そして、デジタルミキサから出力される乗算後の信号をローパスフィルタ（図２の場合、ローパスフィルタ３３）に通すことによって、ＤＣ近傍（周波数の差の信号）以外の周波数成分が減衰した信号（ローパスフィルタ３３の出力信号）の振幅の最大値を信号強度として測定することができる。
【００２８】
図４は、帯域制限フィルタ９の通過帯域と測定部３４で測定されたパワーとの関係を示した図である。測定部３４は、中間周波数ｆａの信号成分のパワー（振幅）ＩＦｐｏｗ及びその中間周波数近傍の周波数である複数の周辺周波数の信号成分のパワー（図４には、中間周波数ｆａに対して高周波側の各周辺周波数ｆ１ｐ〜ｆ４ｐに対応するパワーｐｏｗ１ｐ〜ｐｏｗ４ｐと、中間周波数ｆａに対して低周波側の各周辺周波数ｆ１ｍ〜ｆ４ｍに対応するパワーｐｏｗ１ｍ〜ｐｏｗ４ｍとが示されている）を測定する。そのために、中間周波信号に調べたい周波数の正弦波をデジタルミキサ３２で乗算することによって、その調べたい周波数のパワーをＤＣ近傍まで落とす。乗算した際に発生する高調波は、ローパスフィルタ３３で減衰される。デジタルミキサ３２に入力される正弦波の周波数を周期的に切り替えることによって、中間周波信号の周波数近傍のパワー分布を調べることができる。
【００２９】
ＮＣＯ３１から順次出力される周辺周波数は、帯域制限フィルタ９に予め準備されている複数の通過帯域のうちの一の通過帯域と該一の通過帯域を包含する広帯域の他の通過帯域とが重複していない帯域（非重複帯域）の周波数である。例えば、周辺周波数ｆ１ｐは、通過帯域ＢＷ１と通過帯域ＢＷ１に比べて広帯域の通過帯域ＢＷ２とが重複していない非重複帯域内の周波数である。他の周辺周波数ｆ２ｐ，ｆ３ｐ，ｆ１ｍ，ｆ２ｍ，ｆ３ｍについても同様である。
【００３０】
また、周辺周波数は、非重複帯域内の任意の周波数であればよいが、非重複帯域内の周波数のパワーを偏り無く測定できるという点で非重複帯域の中心値であることが好ましい。例えば、周辺周波数ｆ１ｐは、非重複帯域の帯域幅（△ｆ２−△ｆ１）の中心値である。他の周辺周波数ｆ２ｐ，ｆ３ｐ，ｆ１ｍ，ｆ２ｍ，ｆ３ｍについても同様である。
【００３１】
また、ＮＣＯ３１から順次出力される周辺周波数は、帯域制限フィルタ９が有している通過帯域の中で帯域幅が最大の通過帯域の外側の帯域に設けられていてもよい。周辺周波数ｆ４ｐ，ｆ４ｍは、帯域制限フィルタ９が有している通過帯域の中で帯域幅が最大の通過帯域ＢＷ４の外側の帯域の周波数である。
【００３２】
図５は、チューナ回路１００が実行する信号処理方法を表すフローチャートである。本信号処理方法は、周波数変換ステップＳ１と、ＡＤ変換ステップＳ２と、復調ステップＳ３とを有している。周波数変換部は、周波数変換ステップＳ１で、希望チャネルの信号成分に対応する中間周波数を周波数成分として含む中間周波信号に、アンテナ１で受信した電波に応じた高周波信号を周波数変換する。ＡＤＣ８は、ＡＤ変換ステップＳ２で、中間周波信号をデジタル信号にＡＤ変換する。デジタル復調部３００は、復調ステップＳ３で、デジタル信号を復調する。
【００３３】
復調ステップＳ３には、パワー分布検出ステップＳ４と、通過帯域切り替えステップＳ５が含まれている。
【００３４】
ＩＦパワー検出部１０は、パワー分布検出ステップＳ４で、デジタル信号から希望チャネルの信号成分を含む出力信号を取り出すための帯域幅が互いに異なる複数の通過帯域を有する帯域制限フィルタ９にデジタル信号を入力する前に、該デジタル信号から、希望チャネルの信号成分のパワー分布と希望チャネルに隣接する隣接チャネルの信号成分のパワー分布とを検出する。
【００３５】
制御部３５は、通過帯域切り替えステップＳ５で、検出ステップＳ４で検出した希望チャネルの信号成分のパワー分布と検出ステップＳ４で検出した隣接チャネルの信号成分のパワー分布とに基づいて複数の通過帯域の中から選択された通過帯域に、帯域制限フィルタ９の通過帯域を切り替える。制御部３５は、帯域制限フィルタ９はデジタルフィルタであるので、デジタルフィルタの通過帯域の特性を定めるための複数のフィルタ係数を変更することによって、帯域制限フィルタ９の通過帯域の帯域幅を切り替えることができる。例えば、制御部３５は、帯域制限フィルタ９の通過帯域を通過帯域ＢＷ１に設定する場合、通過帯域ＢＷ１に設定するためのフィルタ係数に切り替えればよい。他の通過帯域ＢＷ２〜ＢＷ４に設定する場合についても同様である。
【００３６】
図６は、パワー分布検出ステップＳ４で行われる工程を表すフローチャートである。検出ステップＳ４は、乗算ステップＳ１１と、フィルタステップＳ１２と、測定ステップＳ１３とを含んでいる。
【００３７】
デジタルミキサ３２は、乗算ステップＳ１１で、帯域制限フィルタ９に入力される前のデジタル信号に、中間周波数と中間周波数の周辺周波数に周波数が順番に変化する正弦波信号をデジタルで乗算する。フィルタステップＳ１２で、乗算ステップＳ１１で得られた乗算値をローパスフィルタ３３でフィルタをかける。測定部３４は、測定ステップＳ１３で、フィルタステップＳ１２で得られたローパスフィルタ３３の出力信号から、中心周波数の信号成分のパワーと周辺周波数の信号成分のパワーとを測定する。
【００３８】
図７は、パワー分布検出ステップＳ４で行われる詳細工程を表すフローチャートである。ステップＳ２１で、測定部３４は、中間周波数の信号成分のパワーと周辺周波数の信号成分のパワーとを測定する。ステップＳ２２で、制御部３５は、測定部３４が測定した全てのパワーの中で最小のものを最小ノイズレベルＮｐｏｗと設定する。
【００３９】
また、制御部３５は、中間周波数に対して高周波側の周辺周波数の信号成分のパワーを測定部３４が測定した測定値である高周波側測定値と、中間周波数に対して低周波側の周辺周波数の信号成分を測定部３４が測定した測定値である低周波側測定値との大小関係に基づいて、測定部３４が測定した測定値の中から、希望チャネル及び隣接チャネルの信号成分のパワー分布の検出に使用される測定値を決定する。例えば、図４の場合、高周波側測定値は、パワーｐｏｗ１ｐ〜ｐｏｗ４ｐに相当し、低周波側測定値は、パワーｐｏｗ１ｍ〜ｐｏｗ４ｍに相当する。制御部３５は、例えば、高周波側測定値と低周波側測定値との大小関係を、測定部３４が測定した高周波側測定値の平均値と、測定部３４が測定した低周波側測定値の平均値との比較によって判断すればよい。また、高周波側測定値の最大値と低周波側測定値の最大値との比較によって判断してもよい。
【００４０】
制御部３５は、高周波側測定値と低周波側測定値のうちで小さい方の測定値に基づいて、希望チャネルの信号成分のパワー分布の及ぶ帯域を検出する。中間周波数に対して小さい方の測定値が得られる帯域には、希望チャネルに隣接する隣接チャネルが存在しないと考えられるからである。また、隣接チャネルが存在しないと考えられるため、小さい方の測定値に基づいて検出することによって、希望チャネルの信号成分のパワー分布の及ぶ帯域の検出を容易にすることができる。
【００４１】
また、制御部３５は、高周波側測定値と低周波側測定値のうちで大きい方の測定値に基づいて、隣接チャネルの信号成分のパワー分布の及ぶ帯域を検出する。中間周波数に対して大きい方の測定値が得られる帯域には、希望チャネルに隣接する隣接チャネルが存在すると考えられるからである。また、隣接チャネルが存在すると考えられるため、大きい方の測定値に基づいて検出することによって、隣接チャネルの信号成分のパワー分布の及ぶ帯域の検出を容易にすることができる。
【００４２】
例えば、制御部３５によって、希望チャネルの信号成分のパワー分布と隣接チャネルの信号成分のパワー分布とが、測定部３４が測定したパワーに応じて設定された閾値に基づいて検出される。
【００４３】
制御部３５によって、希望チャネルの信号成分のパワー分布が存在する帯域と隣接チャネルの信号成分のパワー分布が存在する帯域とが推定される。制御部３５は、高周波側測定値と低周波側測定値のうちで小さい方の測定値の中で第１の閾値を超えるパワーが存在する帯域を、希望チャネルの信号成分のパワー分布の及ぶ帯域であると特定する。また、制御部３５は、高周波側測定値と低周波側測定値のうちで大きい方の測定値の中で第２の閾値を超えるパワーが存在する帯域を、隣接チャネルの信号成分のパワー分布の及ぶ帯域であると特定する。
【００４４】
そこで、ステップＳ２３で、制御部３５は、中間周波数の信号成分のパワーＩＦｐｏｗと最小ノイズレベルＮｐｏｗとに基づいて、希望チャネルの信号成分を特定するための第１の閾値である閾値Ａを設定する（図４及び後述の図１０参照）。閾値Ａは、例えば、（ＩＦｐｏｗ＋Ｎｐｏｗ）×αに設定されるとよい。αは、例えば、０以上１以下の係数である。また、αを「｛Ｎｐｏｗ／（ＩＦｐｏｗ＋Ｎｐｏｗ）｝以上｛ＩＦｐｏｗ／（ＩＦｐｏｗ＋Ｎｐｏｗ）｝以下」に設定してもよい。αをこのような範囲の係数に設定することによって、閾値Ａを希望チャネルの信号成分を特定しやすい位置に設定することができる。
【００４５】
ステップＳ２４で、制御部３５は、中間周波数に対して高周波側の周辺周波数の信号成分のパワーと中間周波数に対して低周波側の周辺周波数の信号成分のパワーとを比較して、小さい方のパワーが含まれる小パワー帯域を受信チャネルの信号成分の探索範囲として選択する。つまり、ステップＳ２４では、希望チャネルの信号成分がどのくらいの帯域まで広がっているのかを探索している。
【００４６】
ステップＳ２５で、制御部３５は、測定部３４が小パワー帯域で測定したパワーの中で閾値Ａを超えるパワーが希望チャネルの信号成分のパワーであると特定する。一方、制御部３５は、測定部３４によって小パワー帯域で測定されたパワーのうち閾値Ａを超えていないパワーの帯域には、希望チャネルの信号成分がないと判断する。
【００４７】
一方、ステップＳ２６で、制御部３５は、中間周波数の信号成分のパワーＩＦｐｏｗと最小ノイズレベルＮｐｏｗとに基づいて、隣接チャネルの信号成分を特定するための第２の閾値である閾値Ｂを設定する（図４及び後述の図１０参照）。閾値Ｂは、例えば、（ＩＦｐｏｗ＋Ｎｐｏｗ）×βに設定されるとよい。βは、例えば、０以上２以下の係数である。βを１を超える係数に設定することによって、希望チャネルの信号成分よりパワーが大きい隣接チャネルの信号成分を特定することができる。また、βを「｛Ｎｐｏｗ／（ＩＦｐｏｗ＋Ｎｐｏｗ）｝以上｛ＩＦｐｏｗ／（ＩＦｐｏｗ＋Ｎｐｏｗ）｝以下」に設定してもよい。βをこのような範囲の係数に設定することによって、閾値Ｂを隣接チャネルの信号成分を特定しやすい位置に設定することができる。
【００４８】
ステップＳ２７で、制御部３５は、中間周波数に対して高周波側の周辺周波数の信号成分のパワーと中間周波数に対して低周波側の周辺周波数の信号成分のパワーとを比較して、大きい方のパワーが含まれる大パワー帯域を隣接チャネルの信号成分の探索範囲として選択する。つまり、ステップＳ２７では、隣接チャネルの信号成分がどのくらいの帯域まで広がっているのかを探索している。
【００４９】
ステップＳ２８で、制御部３５は、測定部３４が大パワー帯域で測定したパワーの中で閾値Ｂを超えるパワーが隣接チャネルの信号成分のパワーであると特定する。一方、制御部３５は、測定部３４によって大パワー帯域で測定されたパワーのうち閾値Ｂを超えていないパワーの帯域には、隣接チャネルの信号成分がないと判断する。
【００５０】
ステップＳ２９で、制御部３５は、帯域制限フィルタ９の最適な通過帯域として、希望チャネルの信号成分のパワー分布が及ぶと特定された帯域を含み且つ隣接チャネルの信号成分のパワー分布が及ぶと特定された帯域を含まない帯域を、帯域制限フィルタ９に予め用意されている複数の通過帯域の中から選択する。つまり、制御部３５は、希望チャネルの信号成分のパワーが閾値Ａを超え且つ隣接チャネルの信号成分のパワーが閾値Ｂ未満になる通過帯域を選択している。
【００５１】
例えば、制御部３５は、中間周波数に比べて高周波側の周波数の信号成分のパワーと中間周波数に比べて低周波側の周波数の信号成分のパワーとを比較して、大きい方のパワーが閾値Ａを超えるまで通過帯域の帯域幅が広げ、小さい方のパワーが閾値Ｂを下回るまで通過帯域の帯域幅を狭める。
【００５２】
次に、本発明の実施形態のシミュレーション結果を示す。
【００５３】
図８は、ローパスフィルタ３３のフィルタ特性図である。中間周波信号に乗算する正弦波は１つの周波数につき２０ｍｓ（変更可能）毎に切り替える。これにより、次の周波数の正弦波に切り替わるまでの間に、オーディオ信号の５０Ｈｚ（１周期２０ｍｓ）より高い周波数の信号は１周期以上含まれるようにしている。この時間は延ばすことで低い周波数まで検出できるが、時間を延ばすと最適なフィルタを決定するまでの時間が延びてしまうためバランスをとる必要がある。したがって、仕様等に応じて、ＮＣＯ３１から出力される周波数の切り替え間隔は決めればよい。
【００５４】
図９は、ＡＤＣ８の出力信号のパワー分布図である。図９は、希望チャネルのチャネル周波数に対応する中間周波数ｆａが３００ｋＨｚであり、隣接チャネルのチャネル周波数に対応する周波数が２００ｋＨｚにある場合を示している。図９は、帯域制限フィルタ９に入力される前の波形であるため、隣接チャネルの信号成分が妨害波として含まれていることを示す。
【００５５】
図１０は、帯域制限フィルタ９の通過帯域と測定部３４で測定されたパワーとの関係を示した図である。図９のパワー分布の場合、ＩＦパワー検出部１０によって、図１０に示されるようなパワーが、中間周波数及び周辺周波数で検出される。
【００５６】
制御部３５は、図１０の検出結果に基づいて、各周辺周波数のパワーと閾値Ｂとの比較を低周波側から高周波側に向けて順番に行い、閾値Ｂを超えるパワーの周辺周波数を帯域幅に含む通過帯域（すなわち、ＢＷ１８０及びＢＷ１５０）を、帯域制限フィルタ９に設定すべき通過帯域の候補から除外し、閾値Ｂを超えないパワーの周辺周波数を帯域幅に含む通過帯域（すなわち、ＢＷ１２０）を、帯域制限フィルタ９に設定すべき通過帯域の候補として選択する。このように選択した通過帯域を帯域制限フィルタ９に設定することで、隣接チャネルの信号を適切に減衰することができる。
【００５７】
また、制御部３５は、図１０の検出結果に基づいて、各周辺周波数のパワーと閾値Ａとの比較を高周波側から低周波側に向けて順番に行い、閾値Ａを超えないパワーの周辺周波数を帯域幅に含む通過帯域（すなわち、ＢＷ１８０及びＢＷ１５０）を、帯域制限フィルタ９に設定すべき通過帯域の候補から除外し、閾値Ａを超えるパワーの周辺周波数を帯域幅に含む通過帯域（すなわち、ＢＷ１２０）を、帯域制限フィルタ９に設定すべき通過帯域の候補として選択する。このように選択した通過帯域を帯域制限フィルタ９に設定することで、希望チャネルの信号が減衰することを抑制することができる。
【００５８】
その結果、それぞれの条件を満たす帯域幅１２０ｋＨｚの通過帯域が選択される。これにより、希望チャネルの受信性能の向上と隣接チャネルによる妨害ノイズの低減とを両立させることができる。
【００５９】
図１１は、図９のパワー分布において、帯域幅が１８０ｋＨｚの通過帯域ＢＷ１８０を選択した場合のオーディオ出力信号の波形図である。図１２は、図９のパワー分布において、帯域幅が１２０ｋＨｚの通過帯域ＢＷ１２０を選択した場合のオーディオ出力信号の波形図である。図１１の場合、希望チャネルの信号成分に隣接チャネルの信号成分が混ざることにより、オーディオ信号が歪むため、聴感が悪化してしまう。一方、図１２の場合、希望チャネルの信号成分に隣接チャネルの信号成分が混ざらないため、オーディオ信号の歪みが消えて、聴感の低下を防止できる。
【００６０】
図１３は、信号処理装置の具体例であるラジオチューナ用ＩＣ４００である。ラジオチューナ用ＩＣ４００は、ステレオＦＭ放送を受信可能な受信装置である。４００Ａ，４００Ｃは、アナログブロックである。４００Ｂは、デジタルブロックである。ＲＤＳ（Radio  Data  System）１８は、ＦＭ多重信号から抽出したＲＤＳデータを出力する。ＤＡＣ１６（１７）は、ＭＰＸ１５によって復号されたデジタル形式のステレオ音声信号を、アナログ形式のステレオ音声信号に変換する。
【００６１】
以上、本発明の好ましい実施例について詳説したが、本発明は、上述した実施例に制限されることはなく、本発明の範囲を逸脱することなく、上述した実施例に種々の変形、改良及び置換を加えることができる。
【００６２】
例えば、図１において、ＬＮＡ３，ＶＣＯ５がＩＣの外部に設けられていてもよい。また、ＲＦバンドパスフィルタ２がＩＣの内部に設けられていてもよい。
【００６３】
また、本発明に係る信号処理装置が使用される環境によっては、通過帯域が狭いフィルタを使用しても隣接チャネルによる妨害ノイズの影響を受けたり、通過帯域が狭いフィルタを使用しなくても隣接チャネルによる妨害ノイズの影響を受けなかったりすることがある。そこで、フィルタ部の通過帯域として選択可能な一又は二以上の通過帯域を、信号処理装置毎に、各信号処理装置外部から任意に設定可能にすることによって、各信号処理装置が使用される環境に適した通過帯域をフィルタ部の通過帯域として選択することができる。その結果、希望チャネルの受信性能が効果的に向上するとともに、隣接チャネルによる妨害ノイズが効果的に低減する。
【００６４】
例えば、図１４に示される４つのセレクタ回路ＳＬ１〜ＳＬ４が、信号処理装置外部からの指令信号によって設定されたレジスタ値に従って、帯域幅が互いに異なる８種類の通過帯域候補ＢＷＡ〜ＢＷＨの中から、４種類の通過帯域ＢＷ１〜ＢＷ４を指定する。そのレジスタ値に従って指定された４種類の通過帯域ＢＷ１〜ＢＷ４が、帯域制限フィルタ９の通過帯域として選択可能な通過帯域に設定される。
【００６５】
通過帯域候補ＢＷＡ〜ＢＷＨを決定するためのフィルタ係数は、信号処理装置に内蔵される記憶装置（例えば、図１３に示されるメモリ２０）に予め記憶されている。通過帯域候補ＢＷＡ〜ＢＷＨを決定するためのフィルタ係数を記憶装置に予め記憶させておくことによって、回路面積を増やすことなく、帯域制限フィルタ９の通過帯域として選択可能な通過帯域の種類を、記憶装置の記憶容量の範囲内で、容易に増やすことができる。
【００６６】
また、上記のレジスタ値は、例えば図１３に示されるコンフィギュレーションレジスタ１９に格納されている。コンフィギュレーションレジスタ１９のレジスタ値は、通信インターフェース２１を介して入力される指令信号によって、ＩＣ４００の外部から変更可能である。
【００６７】
したがって、図１３の構成の場合、図１４に示される４つのセレクタ回路ＳＬ１〜ＳＬ４は、コンフィギュレーションレジスタ１９のレジスタ値に従って、予め記憶された通過帯域候補ＢＷＡ〜ＢＷＨを決定するためのフィルタ係数の中から、帯域制限フィルタ９の通過帯域として選択可能な通過帯域ＢＷ１〜ＢＷ４を決定するためのフィルタ係数を指定する。
【００６８】
また、通過帯域候補ＢＷＡ〜ＢＷＨの中から指定される通過帯域ＢＷ１〜ＢＷ４は、信号処理装置外部からの指令信号によって設定されたレジスタ値の内容に応じて変更されるものであるため、測定部３４がパワー測定をすべき上述のｆ１ｐ等の周辺周波数も、その指定された通過帯域ＢＷ１〜ＢＷ４に応じて変更する必要がある（図４参照）。
【００６９】
測定部３４によってパワー測定がされる周辺周波数を変更するためには、図２に示したＮＣＯ３１から順次出力される周辺周波数を変更すればよい。つまり、ＮＣＯ３１は、通過帯域候補ＢＷＡ〜ＢＷＨの中から指定された通過帯域ＢＷ１〜ＢＷ４に応じて、デジタルミキサ３２に順次出力する周辺周波数を変更すればよい。
【００７０】
例えば、図１５に示される４つのセレクタ回路ＳＬ１１〜ＳＬ１４が、信号処理装置外部からの指令信号によって設定されたレジスタ値に従って、周波数が互いに異なる８種類の低周波側周辺周波数候補ｆＡｍ〜ｆＨｍの中から、４種類の低周波側周辺周波数ｆ１ｍ〜ｆ４ｍを指定する。ＮＣＯ３１は、そのレジスタ値に従って指定された４種類の低周波側周辺周波数ｆ１ｍ〜ｆ４ｍを、デジタルミキサ３２に順次出力する。同様に、４つのセレクタ回路ＳＬ２１〜ＳＬ２４が、信号処理装置外部からの指令信号によって設定されたレジスタ値に従って、周波数が互いに異なる８種類の高周波側周辺周波数候補ｆＡｐ〜ｆＨｐの中から、４種類の高周波側周辺周波数ｆ１ｐ〜ｆ４ｐを指定する。ＮＣＯ３１は、そのレジスタ値に従って指定された４種類の高周波側周辺周波数ｆ１ｐ〜ｆ４ｐを、デジタルミキサ３２に順次出力する。
【００７１】
低周波側周辺周波数候補ｆＡｍ〜ｆＨｍ及び高周波側周辺周波数候補ｆＡｐ〜ｆＨｐは、信号処理装置に内蔵される記憶装置（例えば、図１３に示されるメモリ２０）に予め記憶されている。また、低周波側周辺周波数ｆ１ｍ〜ｆ４ｍ及び高周波側周辺周波数ｆ１ｐ〜ｆ４ｐを指定するための上記のレジスタ値は、例えば図１３に示されるコンフィギュレーションレジスタ１９に格納されている。コンフィギュレーションレジスタ１９のレジスタ値は、通信インターフェース２１を介して入力される指令信号によって、ＩＣ４００の外部から変更可能である。
【００７２】
低周波側周辺周波数候補ｆＡｍの周波数は、「中間周波数ｆａ−通過帯域候補ＢＷＡの帯域幅の半分−オフセットγ」に設定され、ｆＢｍの周波数は、「中間周波数ｆａ−通過帯域候補ＢＷＢの帯域幅の半分−オフセットγ」に設定されるとよい。ｆＣｍ〜ｆＨｍも同様である。高周波側周辺周波数候補ｆＡｐの周波数は、「中間周波数ｆａ＋通過帯域候補ＢＷＡの帯域幅の半分＋オフセットγ」に設定され、ｆＢｐの周波数は、「中間周波数ｆａ＋通過帯域候補ＢＷＢの帯域幅の半分＋オフセットγ」に設定されるとよい。ｆＣｐ〜ｆＨｐも同様である。
【００７３】
例えば、中間周波数ｆａが３００ｋＨｚであって、通過帯域候補ＢＷＡ〜ＢＷＨの帯域幅が５０，７８，１０４，１３２，１５８，１８６，２１２，２４０ｋＨｚである場合、低周波側周辺周波数候補ｆＡｍの周波数は、（２７５−γ）ｋＨｚに設定され、ｆＢｍの周波数は、（２６１−γ）ｋＨｚに設定される。ｆＣｍ〜ｆＨｍについても、同様に設定可能である。また、高周波側周辺周波数候補ｆＡｐの周波数は、（３２５＋γ）ｋＨｚに設定され、ｆＢｐの周波数は、（３３９＋γ）ｋＨｚに設定される。ｆＣｐ〜ｆＨｐについても、同様に設定可能である。
【００７４】
γは、通過帯域候補ＢＷＡ〜ＢＷＨの帯域端からのオフセットを表す。オフセットγを変更することによって、パワーを検出する周辺周波数を、通過帯域候補ＢＷＡ〜ＢＷＨの帯域端から近いところにも遠いところにも設定することができる。γは信号処理装置毎に設定可能な値であると、上述の通過帯域と同様に好適である。
【００７５】
このように、信号処理装置外部からの指令信号によって設定されたレジスタ値に従って定められた、通過帯域ＢＷ１〜ＢＷ４と周辺周波数ｆ１ｍ〜ｆ４ｍ及びｆ１ｐ〜ｆ４ｐを用いて、上述と同様に、図５に示されるパワー分布検出ステップＳ４及び通過帯域切り替えステップＳ５が実施される。これにより、図１４に示されるセレクタ回路ＳＬ５によって、通過帯域ＢＷ１〜ＢＷ４を決定するためのフィルタ係数の中から、希望チャネルの受信性能の向上と隣接チャネルによる妨害ノイズの低減とを両立可能なフィルタ係数が、帯域制限フィルタ９の通過帯域を決定するためのフィルタ係数として設定される。
【００７６】
本国際出願は、２００９年９月１１日に出願した日本国特許出願第２００９−２１０２１０号に基づく優先権を主張するものであり、日本国特許出願第２００９−２１０２１０号の全内容を本国際出願に援用する。
【符号の説明】
【００７７】
１  アンテナ
２  ＲＦバンドパスフィルタ
３  低雑音増幅器
４  ＲＦバンドパスフィルタ
５  電圧発生器
６  ミキサ
７  ＩＦバンドパスフィルタ
８  ＡＤコンバータ
９  帯域制限フィルタ
１０  ＩＦパワー検出部
３１  ＮＣＯ
３２  デジタルミキサ
３３  ローパスフィルタ
３４  測定部
３５  制御部
１００  チューナ回路
２００  監視回路
３００  デジタル復調部
４００  ラジオチューナ用ＩＣ
ＳＬ＊  セレクタ回路
【図１】
2011030664.tif 000003
【図２】
2011030664.tif 000004
【図３】
2011030664.tif 000005
【図４】
2011030664.tif 000006
【図５】
2011030664.tif 000007
【図６】
2011030664.tif 000008
【図７】
2011030664.tif 000009
【図８】
2011030664.tif 000010
【図９】
2011030664.tif 000011
【図１０】
2011030664.tif 000012
【図１１】
2011030664.tif 000013
【図１２】
2011030664.tif 000014
【図１３】
2011030664.tif 000015
【図１４】
2011030664.tif 000016
【図１５】
2011030664.tif 000017
【国際調査報告】
2011030664.tif 000018
2011030664.tif 000019
2011030664.tif 000020
2011030664.tif 000021